(57)【要約】【課題】視覚障害者が表示されるチャンネルの内容を理解しながら、チャンネルを切り替えることが可能なテレビジョン受信機の提供を目的とする。【解決手段】本テレビジョン受信機１００は、リモコン装置１０と表示装置２０とから構成される。リモコン装置１０は、チャンネルキーを操作して表示装置２０に表示されるチャンネルを切り替えるものである。また、リモコン装置１０は、点字入力キーを操作することで、チャンネルキーを用いて特定のキーワードを点字入力することができる。これにより、表示装置２０は点字入力されたキーワードに対応するチャンネルを選択して表示する。【選択図】図１
2008227698.tif 000002
【特許請求の範囲】
【請求項１】
前面側にチャンネルキーを含む操作キーを配置する筐体で外装されたリモコン装置の前記チャンネルキーを操作して、表示装置に表示されるチャンネルを切り替えるテレビジョン受信機において、
前記リモコン装置は、
ユーザからの操作を受け付けて、前記チャンネルキーの操作が、チャンネル切り替え操作か、点字入力であるかの切り替えを行なう点字入力キーと、
前記点字入力キーが操作された際、前記チャンネルキーを点字入力の凸点とみなすとともに、前記チャンネルキーを用いた点字入力による特定のキーワードを認識する点字入力認識部と、
前記チャンネルキーが操作された際、前記チャンネルキー以外のキーを操作無効とするとともに、前記点字入力認識部が認識したキーワードを基に前記表示装置に特定のチャンネルを表示させるよう遠隔操作するチャンネル切替実行部とを有し、
前記筐体の背面に、点字を用いて該リモコン装置の操作説明が表記され、
前記表示装置は、
前記チャンネル切替実行部からの操作を受けて前記キーワードに対応したチャンネルを表示するチャンネル表示部と、
前記点字入力キーが操作された際、前記チャンネルキーを用いて前記点字入力認識部が認識したキーワードを、音声として出力する音声出力とを有することを特徴とするテレビジョン受信機。
【請求項２】
リモコン装置のチャンネルキーを操作して表示装置に表示されるチャンネルを切り替えるテレビジョン受信機において、
前記リモコン装置は、ユーザからの操作を受け付けて、前記チャンネルキーの操作が、チャンネル切り替え操作か、点字入力であるかの切り替えを行なう点字入力キーと、
前記点字入力キーが操作された際、前記チャンネルキーを点字入力の凸点とみなすとともに、前記チャンネルキーを用いた点字入力による特定のキーワードを認識する点字入力認識手段と、
前記点字入力認識手段が認識したキーワードを基に前記表示装置に特定のチャンネルを表示させるよう遠隔操作するチャンネル切替実行手段とを有し、
前記表示装置は、前記チャンネル切替実行手段からの操作を受けて前記キーワードに対応したチャンネルを表示するチャンネル表示手段を有することを特徴とするテレビジョン受信機。
【請求項３】
前記リモコン装置は、前面側に前記チャンネルキーを配置する筐体で外装される構成であって、
前記筐体の背面に、点字を用いて該リモコン装置の操作説明が表記されていることを特徴とする請求項２に記載のテレビジョン受信機。
【請求項４】
前記チャンネルキーが操作された際、前記チャンネル切替実行手段は、該チャンネルキー以外のキーを操作無効とすることを特徴とする請求項３に記載のテレビジョン受信機。
【請求項５】
前記チャンネルキーは、操作を受け付ける表面を凹凸状にすることで、該チャンネルキーの触感を向上させたことを特徴とする請求項２から請求項４のいずれか一項に記載のテレビジョン受信機。
【請求項６】
更に、前記表示装置は、前記点字入力キーが操作された際、前記チャンネルキーを用いて前記点字入力認識手段が認識したキーワードを、音声として出力する音声出力手段とを有することを特徴とする請求項２から請求項５のいずれか一項に記載のテレビジョン受信機。
【発明の詳細な説明】
【技術分野】
【０００１】
本発明は、リモコン装置を備えたテレビジョン受信機において、特に、点字入力を受付け可能なテレビジョン受信機に関する。
【背景技術】
【０００２】
従来、視覚障害者がリモコン装置等を用いてチャンネルを切り替える場合、表示装置から出力される音声を頼りにチャンネルを切り替えていた。そのため、表示されるチャンネルによっては、内容が瞬時に理解できない場合があった。
【０００３】
視覚障害者向が家電機器等の操作をし易くするための技術として以下のものが開示されている。つまり、携帯通信端末のダイヤルキーパットの内１個のダイヤルキーを１個の点字枠とみなし、点字の凸点を上記ダイヤルキーの押下に対応させて点字形式による入力を行なう（例えば、特許文献１参照。）。
【０００４】
また、視覚障害者向けに限定した技術ではないが、少ない入力操作で入力が可能となる信号入力装置が開示されている。つまり、所定のグループの文字又は記号のうちの１個に対する信号を、入力キーの一回の入力操作によって入力する。このため、選択手段によって複数の信号のうちの一つを選択する（例えば、特許文献１参照。）。
【特許文献１】特開２００１−０４５１３５号
【特許文献２】特開２００１−３３７７７８号
【発明の開示】
【発明が解決しようとする課題】
【０００５】
上述した特許文献１の発明は、次のような課題があった。つまり、携帯通信端末等を用いた文字の入力をその目的としており、チャンネルを切り替えるために用いられるものではなかった。
【０００６】
また、特許文献２の発明は、次のような課題があった。つまり、少ない入力操作で文字等の入力を行なうことをその目的としており、視覚障害者の使いやすさを目的としたものではない。
【０００７】
本発明は、上記課題にかんがみてなされたもので、視覚障害者がチャンネルの内容を理解しながらチャンネルを切り替えることが可能なテレビジョン受信機の提供を目的とする。
【課題を解決するための手段】
【０００８】
上記課題を解決するために、本発明の請求項２にかかる発明では、リモコン装置のチャンネルキーを操作して表示装置に表示されるチャンネルを切り替えるテレビジョン受信機において、前記リモコン装置は、ユーザからの操作を受け付けて、前記チャンネルキーの操作が、チャンネル切り替え操作か、点字入力であるかの切り替えを行なう点字入力キーと、前記点字入力キーが操作された際、前記チャンネルキーを点字入力の凸点とみなすとともに、前記チャンネルキーを用いた点字入力による特定のキーワードを認識する点字入力認識手段と、前記点字入力認識手段が認識したキーワードを基に前記表示装置に特定のチャンネルを表示させるよう遠隔操作するチャンネル切替実行手段とを有し、前記表示装置は、前記チャンネル切替実行手段からの操作を受けて前記キーワードに対応したチャンネルを表示するチャンネル表示手段を有する構成としてある。
【０００９】
つまり、本テレビジョン受信機は、点字入力キーを操作することでチャンネルキーを用いて点字入力することができる。さらに、点字入力認識手段が、点字入力された特定のキーワードを認識し、表示装置が前記キーワードに対応するチャンネルを表示するようチャンネル切替実行手段に指示を出す。これにより、ユーザは、特定のキーワードを点字で入力するため、表示されるチャンネルの内容を理解しながら、チャンネルを切り替えることが可能となる。
【００１０】
また、前記リモコン装置は、前面側に前記チャンネルキーを配置する筐体で外装される構成であって、前記筐体の背面に、点字を用いて該リモコン装置の操作説明が表記された構成としてもよい。
これにより、リモコン装置の操作を理解する補助となる。
【００１１】
そして、前記チャンネルキーが操作された際、前記チャンネル切替実行手段は、該チャンネルキー以外のキーを操作無効する構成でもよい。
これにより、点字入力時は他の操作キーを押してしまうことで生じる誤入力を防止することができる。
【００１２】
さらに、前記チャンネルキーは、操作を受け付ける表面を凹凸状にすることで、該チャンネルキーの触感を向上させた構成としてもよい。
これにより、表面の凹凸を触ることで、各チャンネルキーをより判別し易くなる。
【００１３】
また、更に、前記表示装置は、前記点字入力キーが操作された際、前記チャンネルキーを用いて前記点字入力認識手段が認識したキーワードを、音声として出力する音声出力手段とを有する構成としてもよい。
これにより、点字入力時は、表示装置から出力される音声でも入力確認ができるため、誤入力を防止することができる。
【００１４】
さらに、上記課題を解決するための具体的な構成として、本発明は、前面側にチャンネルキーを含む操作キーを配置する筐体で外装されたリモコン装置の前記チャンネルキーを操作して、表示装置に表示されるチャンネルを切り替えるテレビジョン受信機において、前記リモコン装置は、ユーザからの操作を受け付けて、前記チャンネルキーの操作が、チャンネル切り替え操作か、点字入力であるかの切り替えを行なう点字入力キーと、前記点字入力キーが操作された際、前記チャンネルキーを点字入力の凸点とみなすとともに、前記チャンネルキーを用いた点字入力による特定のキーワードを認識する点字入力認識部と、前記チャンネルキーが操作された際、前記チャンネルキー以外のキーを操作無効とするとともに、前記点字入力認識部が認識したキーワードを基に前記表示装置に特定のチャンネルを表示させるよう遠隔操作するチャンネル切り替え実行部とを有し、前記筐体の背面に、点字を用いて該リモコン装置の操作説明が表記され、前記表示装置は、前記チャンネル切替実行部からの操作を受けて前記キーワードに対応したチャンネルを表示するチャンネル表示部と、前記点字入力キーが操作された際、前記チャンネルキーを用いて前記点字入力認識部が認識したキーワードを、音声として出力する音声出力部とを有する構成としてある。
【発明の効果】
【００１５】
以上説明したように本発明によれば、ユーザは、特定のキーワードを点字で入力するため、表示されるチャンネルの内容を理解しながら、チャンネルを切り替えることが可能となる。
また請求項３にかかる発明によれば、リモコン装置の操作を理解する補助となる。
そして請求項４にかかる発明によれば、他の操作キーを押してしまうことで生じる誤入力を防止することができる。
さらに請求項５にかかる発明によれば、表面の凹凸を触ることで、各チャンネルキーをより判別し易くなる。
また請求項６にかかる発明によれば、点字入力時は、表示装置から出力される音声でも入力確認ができるため、誤入力を防止することができる。
さらに請求項１のような、より具体的な構成において、上述した請求項２〜請求項６の各発明と同様の作用を奏することはいうまでもない。
【発明を実施するための最良の形態】
【００１６】
以下、下記の順序に従って本発明の実施形態を説明する。
（１）テレビジョン受信機の構成
（１−１）リモコン装置の構成
（１−２）表示装置の構成
（２）テレビジョン受信機の作用・効果
（３）各種変形例
（４）まとめ
【００１７】
（１）テレビジョン受信機の構成 
図１に示すように、本テレビジョン受信機１００は、リモコン装置１０と表示装置２０とから構成される。リモコン装置１０は、チャンネルキーを操作して表示装置２０に表示されるチャンネルを切り替えるものである。また、リモコン装置１０は、点字入力キーを操作することで、チャンネルキーを用いて特定のキーワードを点字入力することができる。これにより、表示装置２０は点字入力されたキーワードに対応するチャンネルを選択して表示する。このため、ユーザは、特定のキーワードを点字で入力するため、表示されるチャンネルの内容を理解しながらチャンネルを切り替えることが可能となる。
【００１８】
（１−１）リモコン装置の構成
リモコン装置１０は、チャンネルキーを操作して表示装置に表示されたチャンネルを切り替える。リモコン装置１０の外観は、図２に示すように、筐体１０ａの前面側に各操作キーが配置されている。各操作キー１１は、通常の操作並びに点字入力を行なうためのものであり、チャンネルを切り替えるチャンネルキー１５、点字入力の切替を行なう点字入力キー１６、点字入力の際入力した凸点の消去を行なう文字削除キー１７、切替キー１８、さらには決定キー１９とを備えている。ここで切替キー１８は、かな切替キー、文字切替キー、アルファベット切替キー等がある。
【００１９】
リモコン装置１０の内部構成を図３に示す。リモコン装置１０は、操作キー１１と、キー入出力部１２と、制御部１３（点字入力認識手段、およびチャンネル切替実行手段）と、赤外線送信部１４と、電源４０とが筐体１０ａに収容されて構成されている。操作キー１１がユーザからの入力を受け付けると、アナログ信号をキー入出力部１２に出力する。キー入出力部１２は入力されたアナログ信号をディジタル信号に変換して、制御部１３に出力する。制御部１３は、電源４０から供給される電圧を基に制御信号を赤外線送信部１４に出力する。そして、赤外線送信部１４は制御信号を赤外線に変換して、表示装置２０に出力する。このとき、送信される赤外線信号は表示装置２０に受信され、チャンネルの切り替等を実行させる。
【００２０】
また、リモコン装置１０は、点字入力キー１６を操作することで、チャンネルキー１５を用いて表示装置２０に対して特定のキーワードを点字入力することができる。点字入力キー１６を操作することにより、制御部１３はチャンネルキー１５の操作により入力される信号をチャンネル切替えから点字入力に切り替える。これにより、チャンネルキー１５の各キーを点字の凸点と見立てて、点字入力することができる。
【００２１】
図４は、制御部１３が実行するフローである。リモコン装置１０は、初期設定として点字入力に使用するチャンネルキー１５と、文字削除キー１７と、切替キー１８とをどの操作キーを用いて操作するかを選択することができる。選択の決定は、決定キー１９を操作して実行する（ステップＳ１００）。次に、点字を入力する場合は、点字入力キー１６を操作して、チャンネルキー１５をチャンネル切替から点字入力に切り替える（ステップＳ１１０）。そして、チャンネルキー１５を操作して特定のキーワードを点字入力する（ステップＳ１２０）。ここで、入力されるキーワードは初期設定にて予め決定されたものである。一例としては、スポーツ、ドラマ、ニュース等がある。最後に決定キー１９を操作して入力を決定する（ステップＳ１３０）。こうして、入力されたキーワードが制御部１３に入力され、制御信号に変換される。制御部１３は、変換した制御信号を赤外線送信部１４に出力する。赤外線送信部１４は、受信した制御信号に対応させた赤外線を表示装置２０に出力する。
【００２２】
（１−２）表示装置の構成
表示装置２０は点字入力されたキーワードに対応するチャンネルを選択して表示する。表示装置は、図１に示すように、チューナー部２１と、制御部２２（チャンネル表示手段）と、赤外線受信部２３と、表示モジュール２４と、さらには音声出力部２５とから構成されている。これにより、まず、リモコン装置１０から送信された赤外線信号は、赤外線受信部２３に受信される。赤外線受信部２３は、受信した赤外線信号をディジタル信号に変換して制御部２２に出力する。制御部２２は、入力した制御信号により、チューナー部２１が検波するチャンネルの切替を指示する。
【００２３】
制御部２２は、演算中枢としてのＣＰＵ２２ａと各種プログラム又はテーブルを記録する記録媒体２２ｂとを備えている。記録媒体２２ｂは、入力された制御信号に対応するチャンネルを特定する点字入力用チャンネルマップ２００を記録している。点字入力用チャンネルマップ２００の一例を図５に示す。点字入力用チャンネルマップ２００は、制御部２２に入力される制御信号と各チャンネルの周波数帯との対応を記録する。これにより、ＣＰＵ２２ａは、例えば制御信号がＡである場合は、周波数帯Ｄを検波するようチューナー部２１に指示を出す。なお、点字入力用チャンネルマップ２００に記録される周波数帯は、チャンネルプリセットを用いてメニュー画面上で設定することができる。さらに、点字入力用チャンネルマップ２００を用いず、入力されたキーワードに対応するチャンネルを電子番組表から選択するものであってもよい。
【００２４】
チューナー部２１は、アンテナ３０と接続しており、アンテナ３０が受信したテレビジョン放送信号より特定の周波数帯に対応するチャンネルを検波する。そのため、チューナー部２１は、制御部２２からの指示を受けて、ＣＰＵ２２ａが指示したチャンネルを検波して表示モジュール２４に出力する。表示モジュールは、表示パネルと制御基板等から構成され、チューナー部２１が検波した映像信号を基に映像を表示する。
【００２５】
（２）テレビジョン受信機の作用・効果
本発明のテレビジョン受信機は、ユーザが特定のキーワードを点字入力するため、表示されるチャンネルの内容を有る程度理解しながらチャンネルを切り替えることが可能となる。具体的には、チャンネルキー１５を操作してキーワード「スポーツ」を点字入力すると、表示装置２０はスポーツに関係のあるチャンネルを表示する。また、チャンネルキー１５を操作してキーワード「ニュース」を点字入力すると、表示装置２０はニュースに関係のある番組を表示する。このため、視覚障害があるユーザでも特定のキーワードを点字入力することで、関連のあるチャンネルを表示装置２０に表示させることができ、チャンネルの内容を有る程度理解しながらチャンネルを切り替えることができる。
【００２６】
（３）各種変形例
本表示装置は様々な変形例が存在する。
図６に示すように、リモコン装置１０はその背面に、リモコン装置１０の操作説明が点字表記される構成でもよい。具体的には、リモコン装置１０の筐体背面に各操作キーの操作説明や、点字入力に使用される各キーの配置が点字表記されている。これにより、ユーザがリモコン装置を握った際、点字表記の説明を基に操作を理解することができる。
【００２７】
また、チャンネルキー１５にて点字入力を行なう際、チャンネルキー以外のキーを操作無効にしてもよい。リモコン装置１０の制御部１３は、点字入力キー１６が操作されると、チャンネルキー１５および点字入力に関係する操作キー以外を操作無効にする。具体的な方法として、無効となる操作キーからの信号が制御部１３に入力された場合は、制御部は制御信号を赤外線送信部１４に出力しない。これにより、点字入力時は他の操作キーを押してしまうことで誤入力を防止することができる。
【００２８】
さらに、チャンネルキー１５は、図７に示すように、操作を受け付ける表面を凹凸状にすることで、チャンネルキー１５の触感を向上させた構成としてもよい。図では、チャンネルキー１５の表面の凹凸として、点字の凸点１１ａを形成している。
これにより、表面の凹凸を触ることで、各チャンネルキーをより判別し易くなる。
【００２９】
また、本テレビジョン受信機１００は、点字入力キー１６が操作された際、点字入力したキーワードを、音声として出力するものであってもよい。図１に示すように、表示装置２０は、記録媒体２２ｂに、音声を出力する音声出力テーブル２０１を備えており、キーワードに対応する制御信号が入力されると、ＣＰＵ２２ａは、点字入力用チャンネルマップ２００並びに、音声出力テーブル２０１を参照して対応するキーワードを音声出力部２５に音声出力させる。これにより、点字入力時は、表示装置２０から出力される音声でも入力確認ができるため、誤入力を防止することができる。
【００３０】
（４）まとめ
本テレビジョン受信機１００は、リモコン装置１０と表示装置２０とから構成される。リモコン装置１０は、チャンネルキーを操作して表示装置２０に表示されるチャンネルを切り替えるものである。また、リモコン装置１０は、点字入力キーを操作することで、チャンネルキーを用いて特定のキーワードを点字入力することができる。これにより、表示装置２０は点字入力されたキーワードに対応するチャンネルを選択して表示する。このため、ユーザは、特定のキーワードを点字で入力するため、表示されるチャンネルの内容を理解しながらチャンネルを切り替えることが可能となる。
【００３１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３２】
【図１】本発明の実施の形態での、テレビジョン受信機のブロック構成図である。
【図２】リモコン装置の一例としての外観図である。
【図３】リモコン装置の一例としてのブロック構成図である。
【図４】リモコン装置の操作を示すフローチャートである。
【図５】点字入力用チャンネルマップを示す図である。
【図６】リモコン装置の一例を示す外観図である。
【図７】操作キーの一例を示す斜視図である。
【符号の説明】
【００３３】
１０…リモコン装置、１０ａ…筐体、１１…操作キー、１１ａ…凸部、１２…キー入出力部、１３…制御部、１４…赤外線送信部、１５…チャンネルキー、１６…点字入力キー、１７…文字削除キー、１８…切替キー、１９…決定キー、２０…表示装置、２１…チューナー部、２２…制御部、２２ａ…ＣＰＵ、２２ｂ…記録媒体、２３…赤外線受信部、２４…表示モジュール、２５…音声出力部、３０…アンテナ、４０…電源、１００…テレビジョン受信機、２００…点字入力用チャンネルマップ、２０１…音声出力テーブル
【図１】
2008227698.tif 000003
【図２】
2008227698.tif 000004
【図３】
2008227698.tif 000005
【図４】
2008227698.tif 000006
【図５】
2008227698.tif 000007
【図６】
2008227698.tif 000008
【図７】
2008227698.tif 000009